(57)【要約】  従来のインタワーキングシーン下での複数本の１ｘ層３メッセージが同時に送信することを保証できない問題、及びメッセージの処理スケジューリング問題を解決する１ｘメッセージを送信するシステム、端末及び方法を提供する。この方法は、送信端が非１ｘネットワークを介して受信端に複数本の１ｘメッセージを送信する必要がある場合に、同一メッセージに前記複数本の１ｘメッセージを載せることを含む。
2013535125.tif 000002
【特許請求の範囲】
【請求項１】
送信端が非１ｘネットワークを介して受信端に複数本の１ｘメッセージを送信する必要がある場合に、同一メッセージに前記複数本の１ｘメッセージを載せることを含むことを特徴とする１ｘメッセージを伝達する方法。
【請求項２】
前記受信端が、複数本の１ｘメッセージを含むメッセージを受信した後、メッセージ順序に応じて前記複数本の１ｘメッセージを処理することを特徴とする請求項１に記載の方法。
【請求項３】
前記載せた複数本の１ｘメッセージが、それぞれ異なるデータユニットに封入されることを特徴とする請求項１又は２に記載の方法。
【請求項４】
前記送信端がインタワーキング解決ＩＷＳであり、前記ＩＷＳが、移動交換センターが送信した発呼番号を載せる呼出要求メッセージ又は特性通知メッセージを受信した後、発呼番号を１ｘ空中インターフェースの特性通知メッセージに封入し、１ｘ空中インターフェースの特性通知メッセージと呼出メッセージとを一緒に同一メッセージに封入して受信端に送信し、
前記受信端が非１ｘネットワークにおける、１ｘ及び他の無線アクセス技術をサポートする端末であることを特徴とする請求項１に記載の方法。
【請求項５】
前記端末は、特性通知メッセージ及び呼出メッセージを含むメッセージを受信し、先に特性通知メッセージを取り出し、ユーザがこのコールを受信して選択する場合に端末が更に呼出メッセージを処理し、ユーザがこのコールを拒否して選択する場合に端末が呼出メッセージを処理しないことを特徴とする請求項４に記載の方法。
【請求項６】
前記送信端がインタワーキング解決であり、前記受信端が非１ｘネットワークにおける、１ｘ及び他の無線アクセス技術をサポートする端末であり、
前記インタワーキング解決、端末及び１ｘネットワークが、インタワーキングシーン下での呼出処理及びそのリソース配布を行うプロセスでは、前記インタワーキング解決がリソース配布を完成した後、構造された１ｘ空中インターフェースのリソース割当メッセージ及び１ｘ空中インターフェースの着呼通知メッセージを同一メッセージに封入して前記端末に送信することを特徴とする請求項１に記載の方法。
【請求項７】
前記端末は、１ｘ空中インターフェースのリソース割当メッセージ及び１ｘ空中インターフェースの着呼通知メッセージを含むメッセージを受信し、先に前記リソース割当メッセージを処理し、さらに前記着呼通知メッセージを処理し、
前記１ｘ空中インターフェースのリソース割当メッセージが、拡張チャネル割当メッセージ及び／又は通用ハンドオーバー指示メッセージであることを特徴とする請求項６に記載の方法。
【請求項８】
前記送信端がインタワーキング解決であり、前記受信端が非１ｘネットワークにおける、１ｘ及び他の無線アクセス技術をサポートする端末であり、
前記インタワーキング解決、端末及び１ｘネットワークが、インタワーキングシーン下でのコール処理及びそのリソース配布を行うプロセスでは、前記インタワーキング解決がリソース配布を完成した後、構造された複数本の１ｘ空中インターフェースのリソース割当メッセージを同一メッセージに封入して受信端に送信し、
前記複数本の１ｘ空中インターフェースのリソース割当メッセージが、拡張チャネル割当メッセージ及び通用ハンドオーバー指示メッセージを含むことを特徴とする請求項１に記載の方法。
【請求項９】
前記端末は、拡張チャネル割当メッセージ及び通用ハンドオーバー指示メッセージを含むメッセージを受信した後、先に前記拡張チャネル割当メッセージを処理し、さらに前記通用ハンドオーバー指示メッセージを処理することを特徴とする請求項７又は８に記載の方法。
【請求項１０】
前記複数本の１ｘメッセージを載せるメッセージが、通用回路サービス通知応用１ｘ回路サービスメッセージであることを特徴とする請求項１に記載の方法。
【請求項１１】
前記１ｘメッセージが封入されたデータユニットが、１ｘ層３データユニット又は１ｘ層２データユニットであることを特徴とする請求項１又は２に記載の方法。
【請求項１２】
前記送信端が非１ｘネットワークにおける、１ｘ及び他の無線アクセス技術をサポートする端末であり、
前記受信端がＩＷＳであることを特徴とする請求項１又は２に記載の方法。
【請求項１３】
前記複数本の１ｘメッセージを載せるメッセージが、ＣＤＭＡ２０００  １ｘ  ＲＴＴと他の無線アクセス技術との間のインタワーキングのプロトコルをサポートするために定義されたメッセージであることを特徴とする請求項１又は２に記載の方法。
【請求項１４】
送信端及び受信端を含み、１ｘメッセージを伝達してサポートするシステムであって、
前記送信端が、非１ｘネットワークを介して受信端に複数本の１ｘメッセージを送信する必要がある場合に、同一メッセージに前記複数本の１ｘメッセージを載せるように設置されることを特徴とするシステム。
【請求項１５】
前記受信端が、複数本の１ｘメッセージを含むメッセージを受信した後、メッセージ順序に応じて前記複数本の１ｘメッセージを処理するように設置されることを特徴とする請求項１４に記載のシステム。
【請求項１６】
前記送信端が、送信した複数本の１ｘメッセージをそれぞれ異なるデータユニットに封入することを特徴とする請求項１４又は１５に記載のシステム。
【請求項１７】
前記送信端がインタワーキング解決ＩＷＳであり、前記ＩＷＳが、移動交換センターが送信した発呼番号を載せる呼出要求メッセージ又は特性通知メッセージを受信した後、発呼番号を１ｘ空中インターフェースの特性通知メッセージに封入し、１ｘ空中インターフェースの特性通知メッセージと呼出メッセージとを一緒に同一メッセージに封入して受信端に送信し、
前記受信端が非１ｘネットワークにおける、１ｘ及び他の無線アクセス技術をサポートする端末であることを特徴とする請求項１５に記載のシステム。
【請求項１８】
前記受信端が、複数本の１ｘメッセージを含むメッセージを受信した後、メッセージ順序に応じて前記複数本の１ｘメッセージを処理することとは、端末が、特性通知メッセージ及び呼出メッセージを含むメッセージを受信した後、先に特性通知メッセージを取り出し、ユーザがこのコールを受信して選択する場合に前記端末が更に呼出メッセージを処理し、ユーザがこのコールを拒否して選択する場合に前記端末が呼出メッセージを処理しないことを特徴とする請求項１７に記載のシステム。
【請求項１９】
前記送信端がインタワーキング解決であり、前記受信端が非１ｘネットワークにおける、１ｘ及び他の無線アクセス技術をサポートする端末であり、
前記インタワーキング解決、端末及び１ｘネットワークが、インタワーキングシーン下での呼出処理及びそのリソース配布を行うプロセスでは、前記インタワーキング解決がリソース配布を完成した後、構造された１ｘ空中インターフェースのリソース割当メッセージ及び１ｘ空中インターフェースの着呼通知メッセージを同一メッセージに封入して前記端末に送信することを特徴とする請求項１４に記載のシステム。
【請求項２０】
前記受信端が、複数本の１ｘメッセージを含むメッセージを受信した後、メッセージ順序に応じて前記複数本の１ｘメッセージを処理することとは、端末が、１ｘ空中インターフェースリソース割当メッセージ及び１ｘ空中インターフェースの着呼通知メッセージを含むメッセージを受信した後、先に前記リソース割当メッセージを処理し、さらに前記着呼通知メッセージを処理し、
前記１ｘ空中インターフェースのリソース割当メッセージが、拡張チャネル割当メッセージ及び／又は通用ハンドオーバー指示メッセージであることを特徴とする請求項１９に記載のシステム。
【請求項２１】
前記送信端がインタワーキング解決であり、前記受信端が非１ｘネットワークにおける、１ｘ及び他の無線アクセス技術をサポートする端末であり、
前記インタワーキング解決、端末及び１ｘネットワークが、インタワーキングシーン下でのコール処理及びそのリソース配布を行うプロセスでは、前記インタワーキング解決がリソース配布を完成した後、構造された複数本の１ｘ空中インターフェースのリソース割当メッセージを同一メッセージに封入して端末に送信し、
前記複数本の１ｘ空中インターフェースのリソース割当メッセージが、拡張チャネル割当メッセージ及び通用ハンドオーバー指示メッセージを含むことを特徴とする請求項１４に記載のシステム。
【請求項２２】
前記受信端が、複数本の１ｘメッセージを含むメッセージを受信した後、メッセージ順序に応じて前記複数本の１ｘメッセージを処理することとは、端末が複数本の拡張チャネル割当メッセージ及び通用ハンドオーバー指示メッセージを含むメッセージを受信した後、先に前記拡張チャネル割当メッセージを処理し、さらに前記通用ハンドオーバー指示メッセージを処理することを特徴とする請求項２０又は２１に記載のシステム。
【請求項２３】
前記複数本の１ｘメッセージを載せるメッセージが、通用回路サービス通知応用１ｘ回路サービスメッセージであることを特徴とする請求項１４に記載のシステム。
【請求項２４】
前記１ｘメッセージが封入されたデータユニットが、１ｘ層３データユニット又は１ｘ層２データユニットであることを特徴とする請求項１４又は１５に記載のシステム。
【請求項２５】
前記送信端が、ＣＤＭＡ２０００  １ｘ  ＲＴＴと他の無線アクセス技術との間のインタワーキングのプロトコルをサポートするために定義されたメッセージに、複数本の１ｘメッセージを載せるものであることを特徴とする請求項１４又は１５に記載のシステム。
【請求項２６】
１ｘメッセージを伝達する端末であって、
複数本の１ｘメッセージを含むメッセージを受信した後、メッセージ順序に応じて前記複数本の１ｘメッセージを処理するように設置される前記端末を含むことを特徴とする端末。
【請求項２７】
前記端末が非１ｘネットワークにおける、１ｘ及び他の無線アクセス技術をサポートする端末であり、
前記端末は、特性通知メッセージ及び呼出メッセージを含むメッセージを受信した後、先に特性通知メッセージを取り出し、ユーザがこのコールを受信して選択する場合に前記端末が更に呼出メッセージを処理し、ユーザがこのコールを拒否して選択する場合に前記端末が呼出メッセージを処理しないことを特徴とする請求項２６に記載の端末。
【請求項２８】
前記端末が非１ｘネットワークにおける、１ｘ及び他の無線アクセス技術をサポートする端末であり、
前記端末は、１ｘ空中インターフェースのリソース割当メッセージ及び１ｘ空中インターフェースの着呼通知メッセージを含むメッセージを受信した後、先に前記リソース割当メッセージを処理し、さらに前記着呼通知メッセージを処理し、
前記１ｘ空中インターフェースのリソース割当メッセージが、拡張チャネル割当メッセージ及び／又は通用ハンドオーバー指示メッセージであることを特徴とする請求項２６に記載の端末。
【請求項２９】
前記端末が非１ｘネットワークにおける、１ｘ及び他の無線アクセス技術をサポートする端末であり、
前記端末は、拡張チャネル割当メッセージ及び通用ハンドオーバー指示メッセージを含むメッセージを受信した後、先に前記拡張チャネル割当メッセージを処理し、さらに前記通用ハンドオーバー指示メッセージを処理することを特徴とする請求項２８に記載の端末。
【発明の詳細な説明】
【技術分野】
【０００１】
本発明は通信分野に関し、特に１ｘメッセージを伝達するシステム、端末及び方法に関するものである。
【背景技術】
【０００２】
ＣＤＭＡ（Ｃｏｄｅ−Ｄｉｖｉｓｉｏｎ  Ｍｕｌｔｉｐｌｅ  Ａｃｃｅｓｓ）ネットワークからＬＴＥ（Ｌｏｎｇ  Ｔｅｒｍ  Ｅｖｏｌｕｔｉｏｎ）ネットワークへの発展に従い、サービスがＬＴＥネットワークにより担当されることになるが、ＬＴＥがネットワークをセットアップする初期に、主にホットスポット領域をカバーし、高速で非リアルタイムのデータサービスを提供することを目的とし、ＶＯＩＰを配置しなく、音声サービスを依然として１ｘＣＳ（回路領域）に載せ、このため、ＣＤＭＡ２０００  １ＸとＬＴＥのインタワーキングは、主に１ｘＣＳＦＢ（１ｘ  Ｃｉｒｃｕｉｔ  Ｓｅｒｖｉｃｅ  Ｆａｌｌ  Ｂａｃｋ）をサポートすることに体現される。図１は関連技術による１ｘ  ＣＳＦＢのネットワーク枠組であり、図１に示すように、ＩＷＳ（Ｉｎｔｅｒ−ｗｏｒｋｉｎｇ  Ｓｏｌｕｔｉｏｎ）ロジック機能の１つは、ＣＤＭＡ  １Ｘメッセージリピーター（Ｍｅｓｓａｇｅ  Ｔｒａｎｓｌａｔｉｏｎ）とすることであり、即ち、端末がＬＴＥネットワーク空中インターフェースを介して送信した１ｘネットワーク空中インターフェースの情報又はメッセージが、まずＩＷＳに送信されて、さらにＩＷＳを介して１ｘコアネットワーク交換機に送信される必要がある。類似に、１ｘネットワークの交換機からのメッセージがＬＴＥネットワーク空中インターフェースを介して端末に送信する情報もまずＩＷＳに送信されて、さらにＩＷＳからＬＴＥネットワークに送信される必要がある。ＩＷＳロジック機能は、１ｘ  ＢＳＣ（Ｂａｓｅ  Ｓｔａｔｉｏｎ  Ｃｏｎｔｒｏｌｌｅｒ）で実現されてもよく、ＭＳＣ（Ｍｏｂｉｌｅ  Ｓｗｉｔｃhｉｎｇ  Ｃｅｎｔｅｒ）で実現されてもよく、ＬＴＥネットワークのＭＭＥ（Ｍｏｂｉｌｉｔｙ  Ｍａｎａｇｅｍｅｎｔ  Ｅｎｔｉｔｙ）で実現されてもよく、独立なネットワーク実体でもよい。端末とネットワーク側の処理を標準化するために、ＣＤＭＡ２０００  １ＸとＬＴＥ及び他の無線アクセス技術間のインタワーキングをサポートするように、ＣＤＭＡ標準ファミリーがＧＣＳＮＡプロトコルを定義する。ＧＣＳＮＡプロトコルには、ＧＣＳＮＡ１ｘＣｉｒｃｕｉｔＳｅｒｖｉｃｅ（通用回路サービス通知応用１ｘ回路サービス）メッセージにおいて持つことができる１ｘ情報のフォーマットを定義し、プロトコルの規定によれば、ＧＣＳＮＡ１ｘＣｉｒｃｕｉｔＳｅｒｖｉｃｅメッセージに一本のみの１ｘ  Ｌａｙｅｒ３メッセージを持つことを許し、これにより、あるシーンの処理失敗となり、例えば、複数本の１ｘ  Ｌａｙｅｒ３メッセージの同時送信と処理スケジューリングを保証する必要があり、従来のメカニズム下で、複数本のＧＣＳＮＡ１ｘＣｉｒｃｕｉｔＳｅｒｖｉｃｅメッセージを介してそれぞれ一本の１ｘ  Ｌａｙｅｒ３メッセージを持ち、空口送信メカニズムの複雑性（メッセージロス再送、パッケージキャッシュ等）によって、メッセージの同時に送信と受信を保証できず、これでＣＤＭＡ２０００  １ＸとＬＴＥを含む他の無線アクセス技術との間のインタワーキング処理失敗となる。
【発明の概要】
【発明が解決しようとする課題】
【０００３】
本発明が解決しようとする技術問題は、従来の技術における同時に複数本の１ｘ層３メッセージを送信できない技術問題を解決する１ｘメッセージを伝達するシステム、端末及び方法を提供する。
【課題を解決するための手段】
【０００４】
本発明の一形態によれば、１ｘメッセージを送信する方法を提供し、送信端が非１ｘネットワークを介して受信端に複数本の１ｘメッセージを送信する必要がある場合に、同一メッセージに前記複数本の１ｘメッセージを載せることを含む。
【０００５】
前記受信端が、複数本の１ｘメッセージを含むメッセージを受信した後、メッセージ順序に応じて前記複数本の１ｘメッセージを処理する。
前記載せた複数本の１ｘメッセージが、それぞれ異なるデータユニットに封入される。
【０００６】
前記送信端がインタワーキング解決（ＩＷＳ）であり、前記ＩＷＳが、移動交換センターが送信した発呼番号を載せる呼出要求メッセージ又は特性通知メッセージを受信した後、発呼番号を１ｘ空中インターフェースの特性通知メッセージに封入し、１ｘ空中インターフェースの特性通知メッセージと呼出メッセージとを一緒に同一メッセージに封入して受信端に送信し、前記受信端が非１ｘネットワークにおける、１ｘ及び他の無線アクセス技術をサポートする端末である。
【０００７】
前記端末は、特性通知メッセージ及び呼出メッセージを含むメッセージを受信し、先に特性通知メッセージを取り出し、ユーザがこのコールを受信して選択する場合に端末が更に呼出メッセージを処理し、ユーザがこのコールを拒否して選択する場合に端末が呼出メッセージを処理しない。
【０００８】
前記送信端がインタワーキング解決であり、前記受信端が非１ｘネットワークにおける、１ｘ及び他の無線アクセス技術をサポートする端末であり、前記インタワーキング解決、端末及び１ｘネットワークが、インタワーキングシーン下での呼出処理及びそのリソース配布を行うプロセスでは、前記インタワーキング解決がリソース配布を完成した後、構造された１ｘ空中インターフェースのリソース割当メッセージ及び１ｘ空中インターフェースの着呼通知メッセージを同一メッセージに封入して前記端末に送信する。
【０００９】
前記端末は、１ｘ空中インターフェースのリソース割当メッセージ及び１ｘ空中インターフェースの着呼通知メッセージを含むメッセージを受信し、先に前記リソース割当メッセージを処理し、さらに前記着呼通知メッセージを処理し、前記１ｘ空中インターフェースのリソース割当メッセージが、拡張チャネル割当メッセージ及び／又は通用ハンドオーバー指示メッセージである。
【００１０】
前記送信端がインタワーキング解決であり、前記受信端が非１ｘネットワークにおける、１ｘ及び他の無線アクセス技術をサポートする端末であり、前記インタワーキング解決、端末及び１ｘネットワークが、インタワーキングシーン下でのコール処理及びそのリソース配布を行うプロセスでは、前記インタワーキング解決がリソース配布を完成した後、構造された複数本の１ｘ空中インターフェースのリソース割当メッセージを同一メッセージに封入して受信端に送信し、前記複数本の１ｘ空中インターフェースのリソース割当メッセージが、拡張チャネル割当メッセージ及び通用ハンドオーバー指示メッセージを含む。
【００１１】
前記端末は、拡張チャネル割当メッセージ及び通用ハンドオーバー指示メッセージを含むメッセージを受信した後、先に前記拡張チャネル割当メッセージを処理し、さらに前記通用ハンドオーバー指示メッセージを処理する。
【００１２】
前記複数本の１ｘメッセージを載せるメッセージが、通用回路サービス通知応用１ｘ回路サービスメッセージである。
前記１ｘメッセージが封入されたデータユニットが、１ｘ層３データユニット又は１ｘ層２データユニットである。
【００１３】
前記送信端が非１ｘネットワークにおける、１ｘ及び他の無線アクセス技術をサポートする端末である。
前記受信端がＩＷＳである。
【００１４】
前記複数本の１ｘメッセージを載せるメッセージが、ＣＤＭＡ２０００  １ｘ  ＲＴＴと他の無線アクセス技術との間のインタワーキングのプロトコルをサポートするために定義されたメッセージである。
【００１５】
本発明のもう一つの形態によれば、送信端及び受信端を含み、１ｘメッセージを伝達してサポートするシステムを提供し、前記送信端が、非１ｘネットワークを介して受信端に複数本の１ｘメッセージを送信する必要がある場合に、同一メッセージに前記複数本の１ｘメッセージを載せるように設置される。
【００１６】
前記受信端が、複数本の１ｘメッセージを含むメッセージを受信した後、メッセージ順序に応じて前記複数本の１ｘメッセージを処理するように設置される。
【００１７】
前記送信端が、送信した複数本の１ｘメッセージをそれぞれ異なるデータユニットに封入する。
【００１８】
前記送信端がインタワーキング解決（ＩＷＳ）であり、前記ＩＷＳが、移動交換センターが送信した発呼番号を載せる呼出要求メッセージ又は特性通知メッセージを受信した後、発呼番号を１ｘ空中インターフェースの特性通知メッセージに封入し、１ｘ空中インターフェースの特性通知メッセージと呼出メッセージとを一緒に同一メッセージに封入して受信端に送信し、前記受信端が非１ｘネットワークにおける、１ｘ及び他の無線アクセス技術をサポートする端末である。
【００１９】
前記受信端が、複数本の１ｘメッセージを含むメッセージを受信した後、メッセージ順序に応じて前記複数本の１ｘメッセージを処理することとは、端末が、特性通知メッセージ及び呼出メッセージを含むメッセージを受信した後、先に特性通知メッセージを取り出し、ユーザがこのコールを受信して選択する場合に前記端末が更に呼出メッセージを処理し、ユーザがこのコールを拒否して選択する場合に前記端末が呼出メッセージを処理しない。
【００２０】
前記送信端がインタワーキング解決であり、前記受信端が非１ｘネットワークにおける、１ｘ及び他の無線アクセス技術をサポートする端末であり、前記インタワーキング解決、端末及び１ｘネットワークが、インタワーキングシーン下での呼出処理及びそのリソース配布を行うプロセスでは、前記インタワーキング解決がリソース配布を完成した後、構造された１ｘ空中インターフェースのリソース割当メッセージ及び１ｘ空中インターフェースの着呼通知メッセージを同一メッセージに封入して前記端末に送信する。
【００２１】
前記受信端が、複数本の１ｘメッセージを含むメッセージを受信した後、メッセージ順序に応じて前記複数本の１ｘメッセージを処理することとは、端末が、１ｘ空中インターフェースリソース割当メッセージ及び１ｘ空中インターフェースの着呼通知メッセージを含むメッセージを受信した後、先に前記リソース割当メッセージを処理し、さらに前記着呼通知メッセージを処理し、前記１ｘ空中インターフェースのリソース割当メッセージが、拡張チャネル割当メッセージ及び／又は通用ハンドオーバー指示メッセージである。
【００２２】
前記送信端がインタワーキング解決であり、前記受信端が非１ｘネットワークにおける、１ｘ及び他の無線アクセス技術をサポートする端末であり、前記インタワーキング解決、端末及び１ｘネットワークが、インタワーキングシーン下でのコール処理及びそのリソース配布を行うプロセスでは、前記インタワーキング解決がリソース配布を完成した後、構造された複数本の１ｘ空中インターフェースのリソース割当メッセージを同一メッセージに封入して端末に送信し、前記複数本の１ｘ空中インターフェースのリソース割当メッセージが、拡張チャネル割当メッセージ及び通用ハンドオーバー指示メッセージを含む。
【００２３】
前記受信端が、複数本の１ｘメッセージを含むメッセージを受信した後、メッセージ順序に応じて前記複数本の１ｘメッセージを処理することとは、端末が複数本の拡張チャネル割当メッセージ及び通用ハンドオーバー指示メッセージを含むメッセージを受信した後、先に前記拡張チャネル割当メッセージを処理し、さらに前記通用ハンドオーバー指示メッセージを処理する。
【００２４】
前記複数本の１ｘメッセージを載せるメッセージが、通用回路サービス通知応用１ｘ回路サービスメッセージである。
前記１ｘメッセージが封入されたデータユニットが、１ｘ層３データユニット又は１ｘ層２データユニットである。
【００２５】
前記送信端が、ＣＤＭＡ２０００  １ｘ  ＲＴＴと他の無線アクセス技術との間のインタワーキングのプロトコルをサポートするために定義されたメッセージに、複数本の１ｘメッセージを載せるものである。
【００２６】
本発明の他の形態によれば、１ｘメッセージを送信する端末を更に提供する。前記端末が、複数本の１ｘメッセージを含むメッセージを受信した後、メッセージ順序に応じて前記複数本の１ｘメッセージを処理するように設置される。
【００２７】
前記端末が非１ｘネットワークにおける、１ｘ及び他の無線アクセス技術をサポートする端末であり、前記端末は、特性通知メッセージ及び呼出メッセージを含むメッセージを受信した後、先に特性通知メッセージを取り出し、ユーザがこのコールを受信して選択する場合に前記端末が更に呼出メッセージを処理し、ユーザがこのコールを拒否して選択する場合に前記端末が呼出メッセージを処理しない。
【００２８】
前記端末が非１ｘネットワークにおける、１ｘ及び他の無線アクセス技術をサポートする端末である。
【００２９】
前記端末は、１ｘ空中インターフェースのリソース割当メッセージ及び１ｘ空中インターフェースの着呼通知メッセージを含むメッセージを受信した後、先に前記リソース割当メッセージを処理し、さらに前記着呼通知メッセージを処理し、前記１ｘ空中インターフェースのリソース割当メッセージが、拡張チャネル割当メッセージ及び／又は通用ハンドオーバー指示メッセージである。
【００３０】
前記端末が非１ｘネットワークにおける、１ｘ及び他の無線アクセス技術をサポートする端末であり、前記端末は、拡張チャネル割当メッセージ及び通用ハンドオーバー指示メッセージを含むメッセージを受信した後、先に前記拡張チャネル割当メッセージを処理し、さらに前記通用ハンドオーバー指示メッセージを処理する。
【発明の効果】
【００３１】
よって、本発明が１ｘメッセージを送信するシステム、端末及び方法を提供し、従来のインタワーキングシーンでの複数本の１ｘ層３メッセージが同時に送信されることを保証できない問題、及びメッセージの処理スケジューリング問題を解決する。
【図面の簡単な説明】
【００３２】
【図１】関連技術による１ｘ  ＣＳＦＢのネットワーク枠組図である。
【図２】本発明実施例１によるコール受入の処理フロー図である。
【図３】本発明実施例２によるコール拒否の処理フロー図である。
【図４】本発明実施例３によるコール受入の処理フロー図である。
【図５】本発明実施例４によるユーザコールセットアップの処理フロー図である。
【発明を実施するための形態】
【００３３】
本実施例が、１ｘメッセージを伝達するシステムを提供し、送信端及び受信端を含む。送信端が、非１ｘネットワークを介して受信端に複数本の１ｘメッセージを送信する必要がある場合に、同一メッセージに複数本の１ｘメッセージを載せるように設置される。受信端が、複数本の１ｘメッセージを含むメッセージを受信した後、メッセージ順序に応じて複数本の１ｘメッセージを処理するように設置される。
【００３４】
送信端が、送信した複数本の１ｘメッセージをそれぞれ異なるデータユニットに封入する。
【００３５】
送信端はＩＷＳであり、受信端は非１ｘネットワークにおける１ｘ及び他の無線アクセス技術をサポートする端末である。ＩＷＳは、移動交換センターが送信した発呼番号を載せる呼出要求メッセージ又は特性通知メッセージを受信した後、発呼番号を１ｘ空中インターフェースの特性通知メッセージに封入し、１ｘ空中インターフェースの特性通知メッセージと呼出メッセージとを一緒に同一メッセージに封入して受信端に送信する。
【００３６】
受信端が、複数本の１ｘメッセージを含むメッセージを受信した後、メッセージタイプ順序に応じて複数本の１ｘメッセージを処理することとは、端末が、特性通知メッセージ及び呼出メッセージを含むメッセージを受信した後、特性通知メッセージを先に取り出し、ユーザがこのコールを受信して選択する場合に端末が更に呼出メッセージを処理し、ユーザがこのコールを拒否して選択する場合に端末が呼出メッセージを処理しないことである。
【００３７】
ＩＷＳ、端末及び１ｘネットワークがインタワーキングシーン下での呼出処理及びそのリソース配布を行うプロセスでは、ＩＷＳがリソース配布を完成した後、構成の１ｘ空中インターフェースのリソース割当メッセージ及び１ｘ空中インターフェースの着呼通知メッセージを同一メッセージに封入して端末に送信する。受信端が、複数本の１ｘメッセージを含むメッセージを受信した後、メッセージ順序に応じて複数本の１ｘメッセージを処理することとは、端末が１ｘ空中インターフェースのリソース割当メッセージ及び１ｘ空中インターフェースの着呼通知メッセージを含むメッセージを受信した後、リソース割当メッセージを先に処理して、さらに着呼通知メッセージを処理する。１ｘ空中インターフェースのリソース割当メッセージは、拡張チャネル割当メッセージ及び／又は通用ハンドオーバー指示メッセージである。
【００３８】
ＩＷＳ、端末及び１ｘネットワークがインタワーキングシーン下でのコール（コールする又はコールされる）処理及びそのリソース配布を行うプロセスでは、ＩＷＳが、リソース配布を完成した後、構成の複数本の１ｘ空中インターフェースのリソース割当メッセージを同一メッセージに封入して端末に送信する。複数本の１ｘ空中インターフェースのリソース割当メッセージは、拡張チャネル割当メッセージ及び通用ハンドオーバー指示メッセージを含む。
【００３９】
受信端が、複数本の１ｘメッセージを含むメッセージを受信した後、メッセージ順序に応じて複数本の１ｘメッセージを処理することとは、端末が複数本の拡張チャネル割当メッセージ及び通用ハンドオーバー指示メッセージを含むメッセージを受信した後、先に拡張チャネル割当メッセージを処理して、さらに通用ハンドオーバー指示メッセージを処理する。
【００４０】
複数本の１ｘメッセージを載せるメッセージは、通用回路サービス通知応用１ｘ回路サービス（ＧＣＳＮＡ１ｘＣｉｒｃｕｉｔＳｅｒｖｉｃｅ）メッセージである。
【００４１】
１ｘメッセージが封入されるデータユニットは、１ｘ層３データユニット又は１ｘ層２データユニットである。
【００４２】
送信端は、ＣＤＭＡ２０００  １ｘ  ＲＴＴと他の無線アクセス技術との間のインタワーキングのプロトコルが定義したメッセージに、複数本の１ｘメッセージを載せるものである。
【００４３】
本実施例が１ｘメッセージを送信する端末を提供し、複数本の１ｘメッセージを含むメッセージを受信した後、メッセージ順序に応じて複数本の１ｘメッセージを処理することに用いる。
【００４４】
端末は、非１ｘネットワークにおける、1ｘ及び他の無線アクセス技術をサポートする端末である。端末が特性通知メッセージ及び呼出メッセージを含むメッセージを受信した後、先に特性通知メッセージを取り出し、ユーザがこのコールを受信して選択する場合に端末が更に呼出メッセージを処理し、ユーザがこのコールを拒否して選択する場合に端末が呼出メッセージを処理しない。
【００４５】
端末は、１ｘ空中インターフェースのリソース割当メッセージ及び１ｘ空中インターフェースの着呼通知メッセージを含むメッセージを受信した後、先にリソース割当メッセージを処理して、さらに着呼通知メッセージを処理する。１ｘ空中インターフェースのリソース割当メッセージは、拡張チャネル割当メッセージ及び／又は通用ハンドオーバー指示メッセージである。
【００４６】
端末は、拡張チャネル割当メッセージ及び通用ハンドオーバー指示メッセージを含むメッセージを受信した後、先に拡張チャネル割当メッセージを処理して、さらに通用ハンドオーバー指示メッセージを処理する。
【００４７】
本実施例が１ｘメッセージを送信する方法を提供し、送信端が非１ｘネットワークを介して受信端に複数本の１ｘメッセージを送信する必要がある場合に、同一メッセージに複数本の１ｘメッセージを載せ、受信端が、複数本の１ｘメッセージを含むメッセージを受信した後、メッセージ順序に応じて受信した複数本の１ｘメッセージを処理する。
【００４８】
複数本の１ｘメッセージを載せるメッセージは、ＣＤＭＡ２０００  １ｘ  ＲＴＴ（無線送信技術）と他の無線アクセス技術との間のインタワーキングのプロトコルをサポートするために定義されたメッセージである。
【００４９】
以下、コールが非１ｘネットワークにおける、１ｘ及び他の無線アクセス技術をサポートするマルチモード（ダブルモードを含む）端末を例として本発明を詳しく説明し、ここで、送信端がＩＷＳであり、受信端が非１ｘネットワークにおける、１ｘ及び他の無線アクセス技術をサポートするマルチモード（ダブルモードを含む）端末である。
【００５０】
実施例１
図２に示すように、本実施例のコール受入の処理フローは以下のステップを含む。
【００５１】
ステップＳ２０１において、ＭＳＣが、そのサービス領域端末をコールする要求を受信し、且つ端末が現在、非１ｘネットワークに付着されると（例えば、端末がＬＴＥネットワーク下に位置する可能性がある）、ＭＳＣがＰａｇｉｎｇ  Ｒｅｑｕｅｓｔ（呼出要求）メッセージをＩＷＳに送信し、且つ呼出要求メッセージに発呼番号を載せる。ＭＳＣがＰａｇｉｎｇ  Ｒｅｑｕｅｓｔメッセージを送信して発呼番号を載せないと、再びにＩＷＳにＦｅａｔｕｒｅ  Ｎｏｔｉｆｉｃａｔｉｏｎ（特性通知）メッセージを送信する必要があり、且つＦｅａｔｕｒｅ  Ｎｏｔｉｆｉｃａｔｉｏｎメッセージに発呼番号を載せる。
【００５２】
ステップＳ２０２において、ＩＷＳは、発呼番号を載せる呼出要求メッセージ又は特性通知メッセージを受信した後、発呼番号を１ｘ空中インターフェースの特性通知メッセージ（Ｆｅａｔｕｒｅ  Ｎｏｔｉｆｉｃａｔｉｏｎ）に封入し、１ｘ空中インターフェースの特性通知メッセージ及び呼出メッセージ（Ｇｅｎｅｒａｌ  Ｐａｇｉｎｇ）を一緒に同一メッセージに封入して端末に送信する。１ｘ空中インターフェースの特性通知メッセージ及び呼出メッセージを載せるメッセージがＧＣＳＮＡ１ｘＣｉｒｃｕｉｔＳｅｒｖｉｃｅメッセージでよい。
【００５３】
ＧＣＳＮＡ１ｘＣｉｒｃｕｉｔＳｅｒｖｉｃｅメッセージが１ｘ空中インターフェースの特性通知メッセージ及び呼出メッセージのメッセージをそれぞれ異なるデータユニットに封入する。１ｘメッセージが封入されるデータユニットは、１ｘ層３データユニット又は１ｘ層２データユニットでよい。
【００５４】
ステップＳ２０３において、端末は、特性通知メッセージ及び呼出メッセージを含むＧＣＳＮＡ１ｘＣｉｒｃｕｉｔＳｅｒｖｉｃｅメッセージを受信し、それがこの二本のメッセージをサポートし且つこの二本のメッセージがそれぞれ特性通知メッセージと呼出メッセージであると判断すれば、先に特性通知メッセージを取り出してユーザに表示し、ユーザがこのコールを受信して選択し、端末が更に呼出メッセージを処理する。
【００５５】
ステップＳ２０４において、端末は、１ｘネットワークまでに連続し、１ｘネットワークを介して呼出応答メッセージを１ｘ基地局に送信する。
ステップＳ２０５において、基地局は、呼出応答メッセージをＭＳＣに構造する。
ステップＳ２０６において、端末、基地局及びＭＳＣが１ｘ音声コールフローを続く。
【００５６】
実施例２
図３に示すように、本実施例のコール拒否の処理フローが以下のステップを含む。
ステップＳ３０１において、ＭＳＣがそのサービス領域端末をコールする要求を受信し、且つ端末が現在、非１ｘネットワークに付着されると（例えば、端末がＬＴＥネットワーク下に位置する可能性がある）、ＭＳＣが呼出要求メッセージをＩＷＳに送信し、且つ呼出要求メッセージに発呼番号を載せる。
【００５７】
ＭＳＣがＰａｇｉｎｇ  Ｒｅｑｕｅｓｔメッセージを送信して発呼番号を載せないと、再びにＩＷＳにＦｅａｔｕｒｅ  Ｎｏｔｉｆｉｃａｔｉｏｎ（特性通知）メッセージを送信する必要があり、且つＦｅａｔｕｒｅ  Ｎｏｔｉｆｉｃａｔｉｏｎメッセージに発呼番号を載せる。
【００５８】
ステップＳ３０２において、ＩＷＳは、発呼番号を載せる呼出要求メッセージ又は特性通知メッセージを受信した後、発呼番号を１ｘ空中インターフェースの特性通知メッセージ（Ｆｅａｔｕｒｅ  Ｎｏｔｉｆｉｃａｔｉｏｎ）に封入し、１ｘ空中インターフェースの特性通知メッセージ及び呼出メッセージ（Ｇｅｎｅｒａｌ  Ｐａｇｉｎｇ）を一緒に同一メッセージに封入して端末に送信する。
【００５９】
１ｘ空中インターフェースの特性通知メッセージ及び呼出メッセージを載せるメッセージは、ＧＣＳＮＡ１ｘＣｉｒｃｕｉｔＳｅｒｖｉｃｅメッセージでよい。
【００６０】
ＧＣＳＮＡ１ｘＣｉｒｃｕｉｔＳｅｒｖｉｃｅメッセージが、１ｘ空中インターフェースの特性通知メッセージ及び呼出メッセージのメッセージをそれぞれ異なるデータユニットに封入する。１ｘメッセージが封入されるデータユニットは、１ｘ層３データユニット又は１ｘ層２データユニットでよい。
【００６１】
ステップＳ３０３において、端末は、特性通知メッセージ及び呼出メッセージを含むＧＣＳＮＡ１ｘＣｉｒｃｕｉｔＳｅｒｖｉｃｅメッセージを受信し、それがこの二本のメッセージをサポートし且つこの二本のメッセージがそれぞれ特性通知メッセージと呼出メッセージであると判断すれば、先に特性通知メッセージを取り出してユーザに表示し、ユーザがこのコールを拒否して選択すると、端末が呼出メッセージを処理しない。
【００６２】
ステップＳ３０４において、端末は、ＧＣＳＮＡ１ｘＣｉｒｃｕｉｔＳｅｒｖｉｃｅメッセージを介してＲｅｌｅａｓｅＯｒｄｅｒメッセージを封入してＩＷＳに送信する。
【００６３】
ステップＳ３０５において、ＩＷＳは拒否メッセージをＭＳＣに構造する。
他のあるシーン下で、送信端が非１ｘネットワークにおける、１ｘ及び他の無線アクセス技術をサポートする端末でよく、受信端がＩＷＳでよく、即ち端末がＩＷＳに送信したＧＣＳＮＡ１ｘＣｉｒｃｕｉｔＳｅｒｖｉｃｅメッセージに複数本の１ｘメッセージを載せる。
【００６４】
実施例３
図４に示すように、本実施例のユーザ受入コールのもう１つの処理フローが以下のステップを含む。
ステップＳ４０１において、端末とＩＷＳ及び１ｘネットワークがインタワーキングシーン下での呼出処理及びそのリソース配布を行うプロセスは、他の無線アクセス技術が提供したトンネルを介して行った呼出と呼出応答メッセージの伝達、呼出応答がトリガーした後に続きセットアップ及びリソース配布プロセス等を含む。
【００６５】
ステップＳ４０２において、ＩＷＳは、リソース配布を完成した後、１ｘ空中インターフェースのリソース割当メッセージ及び１ｘ空中インターフェースの着呼通知メッセージを構成し、この二本の１ｘメッセージを一緒に同一メッセージに封入して端末に送信する。
【００６６】
１ｘ空中インターフェースのリソース割当メッセージ及び着呼通知メッセージを載せるメッセージはＧＣＳＮＡ１ｘＣｉｒｃｕｉｔＳｅｒｖｉｃｅメッセージでよい。
【００６７】
ＧＣＳＮＡ１ｘＣｉｒｃｕｉｔＳｅｒｖｉｃｅメッセージが、１ｘ空中インターフェースのリソース割当メッセージ及び着呼通知メッセージをそれぞれ異なるデータユニットに封入する。１ｘメッセージが封入されたデータユニットは、１ｘ層３データユニット又は１ｘ層２データユニットでよい。
【００６８】
ステップＳ４０３において、端末は、リソース割当メッセージ及び着呼通知メッセージを含むＧＣＳＮＡ１ｘＣｉｒｃｕｉｔＳｅｒｖｉｃｅメッセージを受信し、それがこの二本のメッセージをサポートし且つこの二本のメッセージがそれぞれリソース割当メッセージと着呼通知メッセージであると判断すれば、先にリソース割当メッセージを取り出して１ｘプロトコルスタックで処理する。
【００６９】
ステップＳ４０４において、端末は、１ｘネットワークを成功に獲得し、メッセージを送信して１ｘネットワークに通知する。ここで、端末がメッセージを送信して１ｘネットワークに通知することとは、１ｘ基地局にメッセージを送信して、この端末が成功にアクセスすることを通知し、１ｘ基地局がＭＳＣにこの端末が成功にアクセスすることを通知する。
【００７０】
ステップＳ４０５において、端末は、１ｘネットワークを成功に獲得した後、さらに着呼通知メッセージ処理を取り出す。
【００７１】
ステップＳ４０６において、着呼通知メッセージに応じて、端末がコールを受け入れ、送信メッセージが１ｘネットワークに通知する。ここで、端末がメッセージを送信して１ｘ基地局がコールを受け入れることを通知し、１ｘ基地局が、この端末がコールを受け入れることをＭＳＣに通知する。
【００７２】
実施例４
図５に示すように、本実施例のユーザコールセットアップの処理フローは以下のステップを含む。
ステップＳ５０１において、端末とＩＷＳ及び１ｘネットワークがインタワーキングシーン下でのコール処理及びそのリソース配布を行うプロセスは、他の無線アクセス技術が提供したトンネルを介して行ったコール、呼出と呼出応答メッセージの伝達、コール応答がトリガーした後に続きセットアップ及びリソース配布プロセス等を含む。
【００７３】
ステップＳ５０２において、ＩＷＳは、受信した１ｘネットワークが送信した情報に応じて１ｘチャネル割当メッセージ及びサービス協議パラメーター伝達メッセージを構造し、この二本のメッセージを一緒に同一メッセージに封入して端末に送信する。ここで、サービス協議パラメーター伝達に用いるメッセージが通用ハンドオーバー指示メッセージでよい。
【００７４】
１ｘ空中インターフェースのチャネル割当メッセージ及びサービス協議パラメーター伝達メッセージを載せるメッセージがＧＣＳＮＡ１ｘＣｉｒｃｕｉｔＳｅｒｖｉｃｅメッセージでよい。
【００７５】
ＧＣＳＮＡ１ｘＣｉｒｃｕｉｔＳｅｒｖｉｃｅメッセージが、１ｘ空中インターフェースのチャネル割当メッセージ及びサービス協議パラメーター伝達メッセージをそれぞれ異なるデータユニットに封入する。１ｘメッセージが封入されるデータユニットは、１ｘ層３データユニット又は１ｘ層２データユニットでよい。
【００７６】
ステップＳ５０３において、端末は、チャネル割当メッセージ及びサービス協議パラメーター伝達メッセージを含むＧＣＳＮＡ１ｘＣｉｒｃｕｉｔＳｅｒｖｉｃｅメッセージを受信し、それがこの二本のメッセージをサポートし且つこの二本のメッセージがそれぞれチャネル割当メッセージとサービス協議パラメーター伝達メッセージであると判断すれば、先にチャネル割当メッセージを取り出して１ｘプロトコルスタックで処理し、チャネルリソース配置を完成した後、サービス協議パラメーターが伝達したメッセージを処理して協議パラメーターの配置を完成する。
【００７７】
ステップＳ５０４において、端末は、１ｘネットワークを成功に獲得して、協議パラメーター配置を完成した後、メッセージを送信して１ｘネットワークに通知する。ここで、端末がメッセージを送信して１ｘ基地局が成功にアクセスすることを通知し、１ｘ基地局が、ＭＳＣ端末が成功にアクセスすることを通知する。
【００７８】
本実施例によれば、従来のインタワーキングシーンで複数本の１ｘ層３メッセージが同時に送信されることが保証できない問題、及びメッセージの処理スケジューリング問題を解決した。
【００７９】
なお、上述した本発明の各モジュールまたはステップは、汎用のコンピュータ装置により実現することができ、単一のコンピュータ装置に集中して配置されてもよく、複数のコンピュータ装置からなるネットワークに配置されてもよい。また、コンピュータ装置が実行可能なプログラムコードにより実現されてもよい。これにより、記憶装置に記憶されてコンピュータ装置により実行される。或いは、それぞれを各々の集積回路モジュールに作成するか、それらの中の複数のモジュールまたはステップを単一の集積回路モジュールに作成することにより実現することができる。このように、本発明は、いずれの特定のハードウェアとソフトウェアの組み合わせにも限定されない。
【００８０】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【符号の説明】
【００８１】
ＩＷＳ・・・インタワーキング解決
【図１】
2013535125.tif 000003
【図２】
2013535125.tif 000004
【図３】
2013535125.tif 000005
【図４】
2013535125.tif 000006
【図５】
2013535125.tif 000007
【国際調査報告】
2013535125.tif 000008
2013535125.tif 000009
2013535125.tif 000010
2013535125.tif 000011